(57)【要約】      （修正有）【課題】通風性を高め乾燥を早めるハンガーの提供。【解決手段】ハンガー本体の両端を支点とする２本の弾性体線材を装着し、２本の線材の中間に線材を広げる開閉具４を設ける。開閉具は蝶番構造であり、ストッパーで止まるまで蝶番は開き、２本の線材２，３は左右に広がる。開閉具に支持棒を使用する方法もある。また、太陽光線を更に利用するため、２本の線材間にアルミ箔シートを張る方法や、ハンガー本体にアルミ箔シートのロールカーテンを装着する方法も提供している。【選択図】図２
0003119477.tif 000002
【実用新案登録請求の範囲】
【請求項１】
ハンガー本体の両下端を支点とし、中間に開閉具を装着した２本の弾性体線材を張った構造であって、ハンガーに掛けた衣類の内部に空間を創出して衣類の乾燥を早めることを特徴とする乾燥促進ハンガー。
【請求項２】
両端に大小のリングを設けた線材の各リングに通して、中央部分に凹みを設けた２本の弾性体線材をハンガー本体の両下端を支点として張り、小さいリングは回転自在に片側の弾性体線材の凹みに装着され、大きいリングは反対側の弾性体線材をスライドし凹みで停止することで弾性体線材の間を広げる作用をする構造であって、ハンガーに掛けた衣類の内部に空間を創出して衣類の乾燥を早めることを特徴とする乾燥促進ハンガー。
【請求項３】
ハンガー本体の両下端を支点として張った２本の弾性体線材間にアルミシート、アルミ箔、アルミ箔をコーティングしたシート、アルミ箔をコーティングしたクロス等より選択される一枚のシートを張り、弾性体線材間を開閉する開閉具を弾性体線材に装着した構造であって、ハンガーに掛けた衣類の内部に空間を創出し、太陽光線を反射させて衣類の乾燥を早めることを特徴とする乾燥促進ハンガー。
【請求項４】
ハンガー本体の両下端を支点としたアルミシート、アルミ箔、アルミ箔をコーティングしたシート、アルミ箔をコーティングしたクロス等より選択される一枚のシートを張ったロールカーテンを装着し、ロールカーテンの外側に開閉具を装着した弾性体線材を装着した構造であって、ハンガーに掛けた衣類の内部に空間を創出し、太陽光線を反射させて衣類の乾燥を早めることを特徴とする乾燥促進ハンガー。
【考案の詳細な説明】
【技術分野】
【０００１】  本考案は、シャツ、上着、その他の衣類等を洗濯後に干す時、通気を良くし、衣類の内部に太陽光線を取り込み、乾燥を促進し、殺菌効果を高めるハンガーに関している。
【背景技術】
【０００２】  シャツ、上着、その他の衣類等の洗濯物を干す時は、針金製や合成樹脂製のハンガーに掛けて物干し竿に吊るしている。このようなハンガーで衣類を干すと、衣類の前面と背面が合わさって風が通らないため乾燥し難くなる。
【考案の開示】
【考案が解決しようとする課題】
【０００３】  衣類の乾燥には通気性を高めたり、太陽光線を当てると乾燥が早まることは周知のことである。しかし、現在使用されているハンガーは、衣類の肩の部分をハンガーの肩当部分に掛けて吊り下げるだけのものであり乾燥を早める工夫がされていない。ハンガーを二重構造にするのは、重量も増し、コストも高くなるため物干し用ハンガーには適していない。
【課題を解決するための手段】
【０００４】  本考案の請求項１においては、ハンガー本体の両端を支点とする２本の弾性体線材を装着し、２本の線材の中間に線材を広げる開閉具を設けている。開閉具は２枚の板の先端に、一部を残して互い違いに嵌合するような切込みを入れて丸めた筒に心棒を通して中間で折り畳むことのできる蝶番構造としている。蝶番を形成する２枚の板の端末は、２本の線材にそれぞれ固定されている。開閉具の通常は折り畳んだ状態で保持される。開閉具の蝶番部分を押すと、ストッパーで止まるまで蝶番は開き、２本の線材は左右に広がる。線材にはステンレスや鋼のように反撥弾性のある素材を利用すると、開閉具の開閉が容易であり、線材を開いた状態に保つことができる。【０００５】  請求項２においては、ハンガー本体の両端を支点とする２本の弾性体線材をハンガー本体に装着する。弾性体線材の中央部分に凹みを設け、片方の弾性体線材の凹みに装着した支持棒先端のリングの中に他方の弾性体線材を通し、リングが他方の弾性体線材を自由にスライドするようにする。支持棒のリングを端の方に移動すると２本の弾性体線材の間隔は狭まり、リングを中央に移動すると２本の弾性体線材の間隔は広がる。リングが凹みに落ち込むとその位置で停止し、２本の弾性体線材の間隔を広げた状態に保つことができる。２本の弾性体線材の間隔を閉じるときは支持棒のリングを持ち上げて凹みから外せばよい。【０００６】  請求項３においては、ハンガー本体の両下端を支点として張った２本の弾性体線材間にアルミシート、アルミ箔、アルミ箔をコーティングしたシート、アルミ箔をコーティングしたクロス等より適当なシートを選択して張っている。弾性体線材間を開閉するには、開閉具を弾性体線材に装着する。洗濯した衣類の内部に太陽光線を取り込み、反射させて衣類の乾燥を早め、殺菌効果を高める。【０００７】  請求項４においては、ハンガー本体に両下端を支点としたアルミ箔コーティングのロールカーテンを装着したものである。ロールカーテンの外側に開閉具を装着した弾性体線材を張り、弾性体線材の間隔を広げることで、ロールカーテンが洗濯した衣類内で垂れ下がるような空間を創出する。ロールカーテンのアルミ箔が太陽光線を反射させて衣類の乾燥を早め、殺菌効果を高める。
【考案の効果】
【０００８】  本考案の効果は下記の通りである。
【イ】
ハンガーに掛けて洗濯した衣類の中に空間を創出し、通気を良くして乾燥時間を短縮する。
【ロ】
洗濯した衣類の中に太陽光線を取り込み、早期乾燥と殺菌効果を高める。
【ハ】
ハンガーの収納に余分なスペースを必要としない。
【ニ】
洗濯した衣類の中に空間の創出が容易である。
【考案を実施するための最良の形態】
【０００９】  以下、本考案の実施の形態について説明する。
【実施例１】  本考案のハンガー本体（１）は合成樹脂、金属、木材、竹材、ビニール被服針金等で形成されている。線材にはステンレス線やピアノ線のように弾性のある素材が使用される。
図１に示すように、ハンガー本体（１）の下端に２本のステンレス線（２）、（３）の端末を固定する。ステンレス線（２）、（３）の中央部分に開閉具（４）を装着する。
図１は２本のステンレス線（２）、（３）が合わさるように開閉具（４）を閉じた状態である。
図２は開閉具（４）を開いて２本のステンレス線（２）、（３）を拡げた状態である。
図３は開閉具（４）を表面より見た図である。丸めた部分（６）と丸めずに伸ばした部分（７）を有する板を組み合わせて丸めた部分に軸芯を通して蝶番（５）とし、伸ばした部分が一定角度以上に開かないように制御する。
図４は開閉具（４）を裏面より見た図である。開閉具（４）の中央部分は蝶番（５）になっている。
【実施例２】
【００１０】  図５、図６に示すように、ステンレス線（２）、（３）の中間に凹み（１０）を設け、ステンレス線（２）に支持棒（８）を装着する。支持棒（８）の先端はリング（９）になっていてステンレス線（３）はリング（９）の中を通っている。リング（９）はステンレス線（３）に沿って自由にスライドし、リング（９）の位置がステンレス線（３）の凹み（１０）に入るとスライドが停止する。この位置でステンレス線（２）と（３）の間隔を最大に広げることができる。
【実施例３】
【００１１】  図７、図８に示すように、屋外に干した衣類の内部に通気性を持たせると共に、太陽光線による乾燥効果を利用するために、ステンレス線（２）、（３）の間にアルミ箔シート（１１）を張って、ステンレス線（２）、（３）が閉じたときは上方に畳まれ、開閉具（４）を広げたときは、ステンレス線（２）、（３）が開くのに合わせてアルミ箔シート（１１）も広がるようにしている。衣類に当たった太陽光線は衣類の内部でアルミ箔シート（１１）により反射して衣類内部の温度を高めることができる。図７はアルミ箔シート（１１）を畳んだ状態を示し、図８はアルミ箔シート（１１）を広げた状態を示している。
【実施例４】
【００１２】  図９、図１０に示すように、開閉具（４）を装着したステンレス線（２）、（３）と共に、アルミ箔シート（１１）のロールカーテン（１２）をハンガー本体（１）に装着することで太陽光線を衣類内部で全面的に反射させて乾燥効果と殺菌効果を高めることができる。図９はロールカーテン（１２）を巻いた状態を示し、図１０はロールカーテン（１２）を広げた状態を示している。
【産業上の利用可能性】
【００１３】  本考案のハンガーは洗濯物の乾燥を早め、殺菌効果を高める屋外のハンガーとして利用される以外に、遮光、目隠し、光線の反射板としても使用できる。
【図面の簡単な説明】
【００１４】
【図１】請求項１に記載のハンガーの開閉具を閉じた状態を示す斜視図
【図２】請求項１に記載のハンガーの開閉具を開いた状態を示す斜視図
【図３】請求項１に記載のハンガーの開閉具を表面より見た斜視図
【図４】請求項１に記載のハンガーの開閉具を裏面より見た平面図
【図５】請求項２に記載のハンガーの弾性体線材を閉じた状態を示す斜視図
【図６】請求項２に記載のハンガーの弾性体線材を広げた状態を示す斜視図
【図７】請求項３に記載のハンガーのアルミ箔シートを畳んだ状態を示す斜視図
【図８】請求項３に記載のハンガーのアルミ箔シートを広げた状態を示す斜視図
【図９】請求項４に記載のハンガーのロールカーテンを巻いた状態を示す斜視図
【図１０】請求項４に記載のハンガーのロールカーテンを広げた状態を示す斜視図
【符号の説明】
【００１５】      １  ハンガー本体
２  ステンレス線
３  ステンレス線
４  開閉具
５  蝶番
６  丸めた部分
７  伸ばした部分
８  支持棒
９  リング
１０  凹み
１１  アルミ箔シート
１２  ロールカーテン
【図１】
0003119477.tif 000003
【図２】
0003119477.tif 000004
【図３】
0003119477.tif 000005
【図４】
0003119477.tif 000006
【図５】
0003119477.tif 000007
【図６】
0003119477.tif 000008
【図７】
0003119477.tif 000009
【図８】
0003119477.tif 000010
【図９】
0003119477.tif 000011
【図１０】
0003119477.tif 000012